(57)【要約】【課題】保守点検を行っていることが明確に分かるようにするとともに、保守点検済の地区回線と未保守点検の地区回線が容易に確認できるようにする。さらに複数の未保守点検地区回線が存在する場合に、それらを一括して確認できるようにする。【解決手段】火災受信機が保守点検モードになると、前回の保守点検時に未保守点検地区回線が存在しない場合には全ての地区表示灯を点滅させるとともに、保守点検が終了するとその地区回線に対応する地区表示灯を消灯させる。また、前回の点検時に未保守点検地区回線が存在した場合には未保守点検の地区回線に対応する地区表示灯を点滅させる。【選択図】    図３
2004157670.tif 000002
【特許請求の範囲】
【請求項１】
複数の端末機器が地区毎に個別の地区回線を介して接続され、各地区の端末機器を地区毎に監視する火災受信機において、
各地区回線毎に対応して設けられた地区表示灯と、通常の監視処理とは異なる保守点検の処理を行う保守点検モードを備え、
前記保守点検モードのときは、前記地区表示灯を保守点検が終了した地区回線と保守点検が終了していない地区回線とで表示を異ならせたことを特徴とする火災受信機。
【請求項２】
前記保守点検モードのときは、保守点検が終了していない地区回線に対応する地区表示灯を点灯または点滅させたことを特徴とした請求項１記載の火災受信機。
【請求項３】
保守点検が終了していない地区回線が存在する状態で前記保守点検モードを終了すると、その後保守点検モードとしたときに、前回保守点検が終了していない地区回線に対応する地区表示灯を点灯または点滅させることを特徴とした請求項１または２記載の火災受信機。
【請求項４】
前記保守点検モードとした当初において、一旦全ての地区回線に係わる地区表示灯を点灯または点滅させたことを特徴とした請求項１または２記載の火災受信機。
【発明の詳細な説明】
【０００１】
【発明の属する技術分野】
この発明は、複数の地区回線毎に設けられた端末機器を監視し、さらに保守点検機能を有する火災受信機に関する。
【０００２】
【従来の技術】
複数の各地区の端末機器の保守点検の際に、保守点検が終了していない地区のみを表示する表示手段や、保守点検を途中で止めた場合に保守点検が終了していない地区がある旨を表示する未保守点検表示手段を有する火災受信機を備えた火災報知設備がある。（例えば、特許文献１参照）。
【０００３】
【特許文献１】
特開２００１−１２６１７２号公報（第５−６頁、第３図、第８図）
【０００４】
従来技術によれば、表示手段によって保守点検が終了していない地区を確認することが容易である。さらに従来技術の実施例にあるような表示器を使用することにより、どの地区の保守点検が終了していないのかが把握できる。
【０００５】
【発明が解決しようとする課題】
上記従来技術によれば、未保守点検地区の存在が容易に把握でき、保守点検時に有効であるが、未保守点検地区が複数ある場合、その複数の未保守点検の地区回線を１度に把握することができなかった。
【０００６】
本発明は、保守点検を行っていることが明確に分かるようにするとともに、保守点検済の地区回線と未保守点検の地区回線が容易に確認できる火災受信機を提供することを目的とする。
さらに本発明は、複数の未保守点検地区回線が存在する場合にそれらを一括して確認できる火災受信機を提供することを目的とする。
【０００７】
【課題を解決するための手段】
上記課題を解決するため、本発明の請求項１記載の発明は、複数の端末機器が地区毎に個別の地区回線を介して接続され、各地区の端末機器を地区毎に監視する火災受信機において、
各地区回線毎に対応して設けられた地区表示灯と、通常の監視処理とは異なる保守点検の処理を行う保守点検モードとを備え、
前記保守点検モードのときは、前記地区表示灯を保守点検が終了した地区回線と保守点検が終了していない地区回線とで表示を異ならせた構成とした。
【０００８】
また、請求項２記載の発明は、請求項１記載の火災受信機において、前記保守点検モードのときは、保守点検が終了していない地区回線に対応する地区表示灯を点灯または点滅させた構成とした。
【０００９】
請求項１または２記載の発明によれば、地区表示灯の表示状態により点検済の地区回線と未保守点検の地区回線がすぐに識別でき、さらに複数の未保守点検地区回線が存在する場合でも一括して確認できる。また点検終了時に地区表示灯の表示状態が変わることから、保守点検済の地区回線と未保守点検の地区回線との識別を容易に行うことができる。
【００１０】
請求項３記載の発明は、請求項１または２記載の火災受信機において、保守点検が終了していない地区回線が存在する状態で前記保守点検モードを終了すると、その後保守点検モードとしたときに、前回保守点検が終了していない地区回線に対応する地区表示灯を点灯または点滅させる構成とした。
【００１１】
請求項３記載の発明によれば、保守点検を途中で止めた場合でも、再度保守点検モードとすることにより、保守点検が終了していない地区回線があることを把握でき、保守点検を途中で終了した場合でも、作業の続きを行うことができる。
【００１２】
請求項４記載の発明は、請求項１または２記載の火災受信機において、前記保守点検モードとした当初において、一旦全ての地区回線に係わる地区表示灯を点灯または点滅させた構成とした。
【００１３】
請求項４記載の発明によれば、保守点検モードとしたときに、全ての地区回線が保守点検の対象であることが容易に把握することができる。
【００１４】
【発明の実施の形態】
以下、この発明の実施の形態について、図面を参照しながら説明する。
図１は、本発明の火災受信機２を備える火災報知設備１の構成を示すブロック図である。火災報知設備１は、火災受信機２、火災受信機２と地区回線Ｌ（Ｌ１，Ｌ２，Ｌ３）、Ｃとで接続された火災感知器３、終端抵抗４から構成される。なお、図１では３つの地区回線を示している。
【００１５】
火災受信機２は、ビルの防災センターや集合住宅の管理人室等に設置され、火災報知設備１全体の監視を行うものである。本実施例はＰ型受信機に対して実施したものについて説明を行うが、地区窓を有するＲ型火災受信機等に実施することも可能である。
【００１６】
火災受信機２は、ＣＰＵ１１、ＲＯＭ１２、ＲＡＭ１３、地区回線が接続されるインターフェース１４、各種警報や状況を表示する表示部１５、各種操作を実行するための操作部１６、警報音を発する音響部１７から構成される。
【００１７】
ＲＯＭ１２は、火災受信機２を作動させるための各種制御プログラムや制御データを格納するものであり、ＲＡＭ１３は一時的にデータ等を記憶するもので、ＣＰＵ１１は、ＲＯＭ１２内の制御プログラムや制御データにしたがって、ＲＡＭ１３を作業領域としながら、火災受信機２を制御するようになっている。
表示部１５、操作部１６、音響部１７についての詳細な説明は後述する。
【００１８】
１地区を構成する地区回線は、コモン線Ｃと回線Ｌ１（Ｌ２、Ｌ３）に、複数の火災感知器３、３が並列に接続されている。コモン線Ｃと回線Ｌ１（Ｌ２、Ｌ３）はインターフェース１４を介して、火災受信機２と接続されており、火災感知器３からの火災信号は回線Ｌ１（Ｌ２、Ｌ３）を介して火災受信機２に対して出力されるようになっている。さらに地区回線Ｌ、Ｃの終端には断線検出用の終端抵抗４が接続されている。
【００１９】
図２は火災受信機２の正面図を示す図である。
火災受信機２は、各地区ごとに地区窓２１，２１…が設けられ、各地区窓２１にはそれぞれ地区表示灯２２が１個設けられ、各地区回線に接続された端末機器から火災受信機２に対して火災信号が入力した際に、地区表示灯２２が点灯し、その地区における火災の発生を知らせるようになっている。なお、図２では２０個の地区窓２１，２１…を示している。また、各地区窓２１には、たとえば「１階ショールーム」「２０１号室」等の地区の名称を表すフロアプレート２３が取り付けられている。
【００２０】
さらに地区表示灯２２は、保守点検モードとなった場合には点灯または点滅し、対応する地区回線の試験が終了すると表示態様を変更する。表示態様の変更の仕方としては、保守点検時に地区表示灯が点滅している場合には終了後に消灯する、表示色を変更させるなどがあげられる。
【００２１】
また火災受信機２には各種機能の動作状況を表示する複数の表示灯群３１と警報音を発する警報ブザー部３２が設けられている。
表示灯群３１は火災代表灯、電源灯、スイッチ注意灯、音響停止灯などから構成される。警報ブザー部３２はいずれかの地区の火災感知器３が火災を検出したときに警報音を発するようになっている。
【００２２】
また火災受信機２には各種操作を行うためのためのスイッチ群４１および地区回線選択スイッチ４２が設けられている。
スイッチ群４１は音響停止スイッチ、試験スイッチ、復旧スイッチなどから構成される。地区回線選択スイッチ４２は例えば保守点検時に試験を行う地区回線を選択するときなどに使用されるロータリースイッチである。
【００２３】
また、火災受信機２の内部には保守点検モードに移行させるとともに、保守点検モードから通常の監視状態に戻すための保守スイッチ（図示せず）が設けられている。保守スイッチが火災受信機２の内部に設けられているのは、保守点検時以外の不用意な操作を防止するためである。
【００２４】
すなわち地区表示灯２１、表示灯群３１が表示部１５であり、スイッチ群４１、ロータリースイッチ４２、保守スイッチが操作部１６であり、警報ブザー部３２が音響部１７である。
【００２５】
保守点検モード時の火災受信機２０における各種処理を、図３に示す保守点検モードの処理のフローチャートに基づいて説明する。
まずこの処理は、通常監視処理から始まり、ステップＳ１において保守点検モードとなったか否かの判定が行われる。ステップＳ１において、前述の図示しない保守スイッチがオン操作されて保守点検モードになったと判定するとステップＳ２に移行し、ならないない限りステップＳ１の判定を繰り返す。
【００２６】
ステップＳ２では、前回の保守点検時に未保守点検地区回線が存在したか否かを判断する。地区回線カウンターが０であり、未保守点検地区回線が存在しないと判断するとステップＳ３に移行し、設定されている全ての地区回線に対応する地区表示灯２２を点滅させ、また全ての地区回線分の地区回線カウンターをセットし、ステップＳ５に移行する。
地区回線カウンターが０でなく、未保守点検地区回線が存在すると判断するとステップＳ４に移行し、ＲＡＭ１３のバッファ内の未保守点検地区回線データを読み込み、対応する地区回線の地区表示灯２２を点滅させ、また対応する地区回線分の地区回線カウンターをセットし、ステップＳ５に移行する。
【００２７】
ステップＳ５において保守点検モードが解除されたか否かを判定する処理が行われ、保守点検モードが解除されていなければ、ステップＳ６に移行する。ステップＳ６においては、ある地区回線の保守点検の試験が実行されたか（終了したか）否か判定される。実行されたと判定されればステップＳ７に移行する。
【００２８】
ステップＳ７において試験実行された地区回線が既に試験済であるか否かを判定する処理が行われ、試験済ではないと判定されれば、ステップＳ８に移行する。
ステップＳ８において試験が終了した地区回線に対応する地区表示灯を消灯させ、地区回線カウンターを−１する終了処理を行い、ステップＳ５に戻り、地区回線選択スイッチ４２により別の地区回線が選択され、試験実行されるまでステップＳ５とステップＳ６の判定を繰り返す。
また、ステップＳ７において試験済と判定されれば、ステップＳ５にもどり、同様にステップＳ５とステップＳ６の判定を繰り返す。
【００２９】
ステップＳ５において、保守スイッチがオフ操作されて保守点検モードが解除されていると判定されれば、ステップＳ９に移行する。ステップＳ９においては、保守モードが解除された時点で未保守点検の地区回路が残っているか否か判定され、地区回線カウンターが０でなく、未保守点検の地区回路が残っていると判定されれば、ステップＳ１０に移行し、未保守点検地区回線のデータをＲＡＭ１３のバッファに書き込む処理が行われ、試験終了処理を行い通常の監視処理に戻る。ステップＳ９において、地区回線カウンターが０で未試験の地区回路が残っていないと判定されれば、試験終了処理を行い通常の監視処理に戻る。
【００３０】
すなわち、火災受信機は保守点検モードになると、未保守点検地区回線が存在しない場合には全ての地区表示灯を点灯または点滅させる。そして地区回線毎に試験を行い、試験が終了した地区回線に対応する地区表示灯を消灯させる。
【００３１】
そのため、保守点検時には全ての地区表示灯が点灯または点滅するので、保守点検中であることが明確になる。また、保守点検が終了した地区回線に関しては地区表示灯の表示形態を点灯または点滅から消灯へと変更するので、保守点検済の地区回線と未保守点検の地区回線とが容易に識別できる。
【００３２】
また、未保守点検地区回線が存在する状態で保守点検モードを終了させると未保守点検地区回線に関するデータをＲＡＭ１３のバッファに書き込み、再度保守点検モードに切り替えた時点で該バッファからデータを読み出すので、未保守点検地区回線が存在する場合は、その地区回線に対応する地区表示灯２２を点滅させることにより、保守点検が行われていなかった地区回線を表示するので、以前の保守点検時に試験が行われなかった地区回線を一括して確認できる。
【００３３】
【発明の効果】
請求項１または２記載の発明によれば、地区表示灯の表示状態により保守点検済の地区回線と未保守点検の地区回線とが容易に識別でき、さらに複数の未保守点検地区回線が存在する場合には一括して確認できる。また保守点検終了時に地区表示灯の表示状態が変わることから、試験を行った地区回線の確認が容易に行える。
【００３４】
請求項３記載の発明によれば、保守点検を途中で止めた場合でも、再度保守点検モードとすることにより、保守点検が終了していない地区回線があることを把握でき、また保守点検を途中で終了した場合でも作業の続きを行うことができる。
【００３５】
請求項４記載の発明によれば、保守点検モードとしたときに、全ての地区回線が保守点検の対象であることが容易に把握できる。
【図面の簡単な説明】
【図１】本発明の火災受信機が備えられた火災報知設備の一例を示すブロック図である。
【図２】火災受信機の正面図である。
【図３】保守点検モードの処理を示すフローチャートである。
【符号の説明】
１      火災報知設備
２      火災受信機
３      火災感知器
１１    ＣＰＵ
１２    ＲＯＭ
１３    ＲＡＭ
１４    インターフェース
１５    表示部
１６    操作部
２１    地区窓
２２    地区表示灯
【図１】
2004157670.tif 000003
【図２】
2004157670.tif 000004
【図３】
2004157670.tif 000005